(57)【要約】　　　（修正有）【課題】便座と便器の間の隙間から小便漏れや飛散を防止する。【解決手段】便座裏面の内側前縁部より中央にかけて、Ｕ字型小便キャッチを取付けることにより、便器と便座との隙間が無くなり、着座使用時における便器外への小便漏れを確実に、防止することが出来、従来のように衣服や床面を汚すという問題を解決できた。【選択図】図３
0003099483.tif 000002
【実用新案登録請求の範囲】
【請求項１】
洋式便器の便座裏面に取り付けられ『断面Ｌ字状に形成され、便座取り付け片（ａ）と飛散漏れ防止片（ｂ）とを有する』
図７で説明の洋式便器用Ｕ字型小便キャッチ。
【請求項２】
便座取り付け片の幅をａとし、３ｍｍ≦ａ≦２０ｍｍ飛散漏れ防止片の幅をｂとし、１５ｍｍ≦ｂ≦５０ｍｍにした。
請求項１記載の洋式便器用Ｕ字型小便キャッチ。
【請求項３】
便座取り付け片（ａ）に、便座に設けられた、便器に対して支持する支持凸部を貫通する切り欠きを設けた。小便キャッチの裏面に切り欠き用切り取り線を左右の上下に２ヶ所設け、切り欠き部に合わない支持凸部が生じた場合のみ、２ヶ所を切り取り、各種便座にも対応出来るようにした。
請求項１または２記載の洋式便器用Ｕ字型小便キャッチ。
【請求項４】
各種便座に対応可能にするためには、Ｒ部分の伸縮を自在に変化させることが必要である。そのため便座取り付け片（ａ）のＲ部分の前頭部より左右の切り欠きまでを、花形模様に形成し、自在に変化出来るようにした。花形模様の利点として、Ｕ字部分の曲線を綺麗な形に出来ることと、デザイン的にも綺麗に見えるように工夫した。
請求項３記載の洋式便器用Ｕ字型小便キャッチ。
【考案の詳細な説明】
【０００１】
【考案に属する技術分野】
本考案は、洋式便器の便座裏面の前縁部より中央にかけて取付けるＵ字型小便キャッチに関するものである。
【０００２】
【従来の技術】
従来の便座は、便器と便座との間に隙間があり小便が漏れていた。
【０００３】
【考案が解決しようとする課題】
便座に腰をかけて小便をするとき、男性女性問わず便器と便座との隙間より小便が漏れ、飛散することもあり、衣服や床面を汚す問題点があった。
本考案はこれらの問題点を解決するために作られた物である。
【０００４】
【課題を解決するための手段】
便座裏面の内側前縁部より中央にかけて、Ｕ字型小便キャッチを取付けることにより、便器と便座との隙間が無くなり、着座使用時における便器外への小便漏れを確実に、防止することが出来、従来のように衣服や床面を汚すという問題を解決できた。
【０００５】
【実施例】
Ｕ字型小便キャッチは塩化ビニール系樹脂のようなプラスチックを用い、射出成形加工にする。Ｕ字部分の曲線を無理なく曲げるようにするため、花形模様の加工を取り入れた。小便キャッチに便座の支持凸部寸法に合うように、切り欠きを設けた。支持凸部寸法に合わない小便キャッチに限り、切り欠き部上下に切り取り線を入れ、合わない部分を切り取る。各種便座に合わせて見たところ、花形模様の特性を発揮し対応できた。切り取り線も取付け後は見えず、便座取り付け片ａと、飛散漏れ防止片ｂとのバランスも良く、小便が飛散することなく便器の中へ流れ落ちた。取り付け方法として接着剤、強力両面テープ、ビス止めの三種類あり、接着剤、強力両面テープが接着不能な場合に限り、ビス止めとした。どの方法で取付けても最後に取り付け面の縁にコーキング剤を塗り完全に隙間を無くした。
【０００６】
【考案の効果】
本考案の効果は、Ｕ字型小便キャッチを便座裏面の内側奥に、取り付けて使用することにより小便が漏れず、又飛散する事無く便器の中へ流れ落ちるので、衣服や床面を汚す心配も無くなった。便座裏面の内側奥に、取り付けてあるので、開口部より見えず，違和感無く安心して使用することが出来る。Ｕ字型小便キャッチは一つの製品として、各種便座に取付け可能が特徴です。
【０００７】
【関連すると考えられる先行技術との違い】
１
実開０７−１７１２０号公報参照　水切り付便座との違い
図面を見ると防止面が便座と一体型であり、便座製作時における実用新案登録と思われる。現在使用中の洋式便器の小便漏れを解消するには、便座一式取り替えることになると思う。
本考案のＵ字型小便キャッチは一つの製品として実用新案登録申請をした。本考案は便座裏面にＵ字型小便キャッチを取付けるだけでる。
実開０７−１７１１９号公報参照　洋式便座用水切りとの違い
便座に取付けるとありますが、各種便座に対応できるようには見えない。
又小便が傾斜を上がるのを防ぐ対応も図面上には見えない。
本考案は試行錯誤の結果飛散漏れ防止片ｂを隙間の２〜３倍以上の長さを検出し各種便座に対しても小便が傾斜を上るのを防ぐことが出来た。
又便座取付け片（ａ）に伸び縮みする花形模様を取り入れ各種便座のＲ部分に対しても、対応できるようにした。図７、８参照
２
実用新案登録第３０６４６６７号公報参照　洋式便器用小便漏れ防止器具との違い。
着脱式で男性（小児、老人）は必要で女性は不要となっている。洋式便器の使用回数は男性より女性のほうが多いので小便漏れを起こす確率の高いことが判明した。
本考案Ｕ字型小便キャッチは一度取付けると半永久的に使用出来るので男性女性と分ける必要がない。老若男女問はず違和感無く普通に腰掛て使用出来る便利さを提供する事にある。
【図面の簡単な説明】
【図１】符号の説明図
【図２】Ｕ字型小便キャッチ取付け前の使用状態Ａ〜Ｃ側面図
【図３】本考案Ｕ字型小便キャッチ取付けＡ〜Ａ”断面図
【図４】本考案Ｕ字型小便キャッチ取付け斜視図
【図５】本考案Ｕ字型小便キャッチ取付けＢ〜Ｄ断面図
【図６】本考案Ｕ字型小便キャッチ取付け後の使用状況
【図７】請求項１の説明図
【図８】請求項４に対する説明図
【符号の説明】
１　　　便器
２　　　便座
３　　　Ｕ字型小便キャッチ
４　　　隙間
５　　　便器Ａ〜Ｃの断面
６　　　便器Ｂ〜Ｄの断面
７　　　便器　便座Ａ〜Ａ”の断面
８　　　コーキング
９　　　取り付け片
１０　　　小便の流れ
１１　　　伸縮を兼ねた花形模様
１２　　　支持凸部用切り取り線
１３　　　切り欠き
１４　　　支持凸部
【図１】
0003099483.tif 000003
【図２】
0003099483.tif 000004
【図３】
0003099483.tif 000005
【図４】
0003099483.tif 000006
【図５】
0003099483.tif 000007
【図６】
0003099483.tif 000008
【図７】
0003099483.tif 000009
【図８】
0003099483.tif 000010
【手続補正書】
【提出日】平成15年7月17日(2003.7.17)
【手続補正１】
【補正対象書類名】明細書
【補正対象項目名】実用新案登録請求の範囲
【補正方法】変更
【補正の内容】
【実用新案登録請求の範囲】
【請求項１】
洋式便器の便座裏面に取り付け、着座使用時に於いて小便漏れや飛散を防止する、断面をＬ字状に形成され、取り付片（ａ）と飛散漏れ防止片（ｂ）とを有する洋式便器用Ｕ字型小便キャッチ。
【請求項２】
取り付片の幅をａとし、３ｍｍ≦ａ≦２０ｍｍ飛散漏れ防止片の高さをｂとし１５ｍｍ≦ｂ≦５０ｍｍ　にした、請求項１記載の洋式便器用Ｕ字型小便キャッチ。
【請求項３】
取り付片に、便器に対して、便座に設けられている支持凸部を貫通する切り欠き部と切り取り線を設けた、請求項１又は２記載の洋式便器用Ｕ字型小便キャッチ。
【請求項４】
取り付け片の湾曲部分を花形模様に形成させ、異湾曲の形状にも対応し得るようにしていることを特徴とする、
請求項１、２又は３記載の洋式便器用Ｕ字型小便キャッチ。
【手続補正２】
【補正対象書類名】図面
【補正対象項目名】図７
【補正方法】変更
【補正の内容】
【図７】
0003099483.tif 000011
【手続補正３】
【補正対象書類名】図面
【補正対象項目名】図８
【補正方法】変更
【補正の内容】
【図８】
0003099483.tif 000012